(57)【要約】      （修正有）【課題】ネットワークが構築されていない環境下においても移動体の移動経路の情報を効率よく取得できる、情報伝搬システム及び情報伝搬方法を提供する。【解決手段】情報伝搬システム１００は、複数の発信装置１０及び複数の送受信装置１２を備える。複数の発信装置１０は、互いに異なる識別情報を有し、自身の識別情報を発信する。複数の送受信装置１２はそれぞれ移動体５０に設けられ、各発信装置１０が発信した識別情報を自身の識別情報に紐付けて、経路情報として記憶する。各送受信装置１２は、無線通信可能になった他の送受信装置１２から送信された上記経路情報を蓄積経路情報として記憶するとともに、無線通信可能になった他の送受信装置１２に対して、自身が記憶している上記蓄積経路情報を送信する。更に、各送受信装置１２は、無線通信可能になった他の送受信装置１２から送信された上記蓄積経路情報を記憶する。【選択図】図１
2019032247.tif 000002
【特許請求の範囲】
【請求項１】
それぞれ所定の位置に設けられ、互いに異なる識別情報を有し、かつ自身の識別情報を発信する、複数の発信装置と、
それぞれ移動体に設けられ、互いに異なる識別情報を有し、互いの距離が所定距離以下である場合に互いに無線通信可能になり、前記発信装置が所定距離以下に位置している場合にその発信装置との間で無線通信可能になり、かつ無線通信可能になった前記発信装置が発信した前記識別情報を受信して記憶する、３つ以上の送受信装置と、
を備え、
前記送受信装置は、
記憶した各発信装置の識別情報を、自身の識別情報に紐付けて、自身の経路情報として、無線通信可能になった他の送受信装置に送信し、
無線通信可能になった各送受信装置から送信された各送受信装置の前記経路情報を、蓄積経路情報として記憶し、
無線通信可能になった他の送受信装置に対して、自身が記憶している前記蓄積経路情報を送信し、
無線通信可能になった他の送受信装置から送信された前記蓄積経路情報を記憶する、
ことを特徴とする、情報伝搬システム。
【請求項２】
前記送受信装置は、無線通信可能になった他の送受信装置から送信された前記蓄積経路情報に基づいて、自身が記憶している前記蓄積経路情報を更新する、
請求項１に記載の情報伝搬システム。
【請求項３】
前記送受信装置は、各発信装置が発信した前記識別情報を、その識別情報の受信時刻に紐付けて記憶する、
請求項１または２に記載の情報伝搬システム。
【請求項４】
前記３つ以上の送受信装置は、複数のグループにグループ分けされており、
前記送受信装置は、異なるグループに属する送受信装置が発信する前記経路情報及び前記蓄積経路情報を記憶しない、
請求項１から３のいずれかに記載の情報伝搬システム。
【請求項５】
前記送受信装置は、前記複数の発信装置のうちの所定の発信装置の識別情報を受信した場合に、前記移動体に対してアラートを通知する、
請求項１から４のいずれかに記載の情報伝搬システム。
【請求項６】
それぞれ所定の位置に設けられ、互いに異なる識別情報を有し、かつ自身の識別情報を発信する、複数の発信装置と、
それぞれ移動体に設けられ、互いに異なる識別情報を有し、互いの距離が所定距離以下である場合に互いに無線通信可能になり、かつ前記発信装置が所定距離以下に位置している場合にその発信装置との間で無線通信可能になる、３つ以上の送受信装置と、
を用いて、前記移動体の移動経路に関する情報を伝搬する方法であって、
（ａ）前記送受信装置において、無線通信可能になった前記発信装置が発信した前記識別情報を受信して記憶する、ステップと、
（ｂ）前記送受信装置において、前記（ａ）のステップで記憶した各発信装置の識別情報を、自身の識別情報に紐付けて、自身の経路情報として、無線通信可能になった他の送受信装置に送信する、ステップと、
（ｃ）前記送受信装置において、無線通信可能になった各送受信装置から送信された各送受信装置の前記経路情報を、蓄積経路情報として記憶する、ステップと、
（ｄ）前記送受信装置において、無線通信可能になった他の送受信装置に対して、前記（ｃ）のステップで記憶した前記蓄積経路情報を送信する、ステップと、
（ｅ）前記送受信装置において、無線通信可能になった他の送受信装置から送信された前記蓄積経路情報を記憶する、ステップと、
を備えることを特徴とする、情報伝搬方法。
【請求項７】
（ｆ）前記送受信装置において、無線通信可能になった他の送受信装置から送信された前記蓄積経路情報に基づいて、前記（ｃ）及び前記（ｅ）のステップで記憶した前記蓄積経路情報を更新する、ステップ、を更に備える、
請求項６に記載の情報伝搬方法。
【請求項８】
前記（ａ）のステップにおいて、前記送受信装置は、各発信装置が発信した前記識別情報を、その識別情報の受信時刻に紐付けて記憶する、
請求項６または７に記載の情報伝搬方法。
【請求項９】
前記３つ以上の送受信装置は、複数のグループにグループ分けされており、
前記送受信装置は、異なるグループに属する送受信装置が発信する前記経路情報及び前記蓄積経路情報を記憶しない、
請求項６から８のいずれかに記載の情報伝搬方法。
【請求項１０】
（ｇ）前記送受信装置は、前記複数の発信装置のうちの所定の発信装置の識別情報を受信した場合に、前記移動体に対してアラートを通知する、ステップ、を更に備える、
請求項６から９のいずれかに記載の情報伝搬方法。
【発明の詳細な説明】
【技術分野】
【０００１】
本発明は、複数の移動体によって各移動体の移動経路に関する情報を伝搬するための情報伝搬システム及び情報伝搬方法に関する。
【背景技術】
【０００２】
従来、移動する物体（人、動物又は物等。以下、移動体という。）の位置情報を収集するために、種々のシステムが提案されている。例えば、特許文献１には、移動無線機の位置を推定するためのシステムが開示されている。
【０００３】
特許文献１に開示されたシステムは、移動無線機、複数の基準局、複数の接続局、データ収集ネットワーク、及び位置推定装置を備えている。
【０００４】
特許文献１のシステムでは、移動無線機は、他の移動無線機とすれ違うと、相互に自身の機器ＩＤを交換して記憶し、基準局の近くを通過した場合には、基準局の機器ＩＤを記憶する。移動無線機では、上記のようにして記憶される他の移動無線機の機器ＩＤ及び基準局の機器ＩＤが、交差履歴データとして蓄積される。そして、移動無線機は、接続局およびデータ収集ネットワークを介して、位置推定装置に交差履歴データをアップロードする。このようにしてアップロードされた交差履歴データに基づいて、位置推定装置によって移動無線機の位置が推定される。
【先行技術文献】
【特許文献】
【０００５】
【特許文献１】特開２００８−２９８６８９号公報
【発明の概要】
【発明が解決しようとする課題】
【０００６】
本発明者らは、移動体の移動経路を分析するための情報を収集するシステムの開発を進めている。そのようなシステムにおいて特許文献１の技術を利用する場合、接続局を介して各移動無線機から位置推定装置にアップロードされる交差履歴データに基づいて、各移動無線機の移動経路を分析することができると考えられる。
【０００７】
ところで、特許文献１のシステムでは、複数の接続局がデータ収集ネットワークを介して位置推定装置に接続されている必要がある。このため、特許文献１のシステムは、ネットワークが構築されていない環境での利用には適していない。具体的には、上記のような環境下では、各移動無線機から位置推定装置に交差履歴データをアップロードすることができないので、位置推定装置において各移動無線機の移動経路を分析するための情報を収集することができない。このため、このような環境下では、複数の移動無線機から個別に交差履歴データを収集しなければならない。この場合、各移動無線機の移動経路を分析するための情報を効率よく取得することができない。
【０００８】
本発明の目的の一例は、ネットワークが構築されていない環境下においても移動体の移動経路を分析するための情報を効率よく取得できる、情報伝搬システム及び情報伝搬方法を提供することにある。
【課題を解決するための手段】
【０００９】
上記目的を達成するため、本発明の一側面における情報伝搬システムは、
それぞれ所定の位置に設けられ、互いに異なる識別情報を有し、かつ自身の識別情報を発信する、複数の発信装置と、
それぞれ移動体に設けられ、互いに異なる識別情報を有し、互いの距離が所定距離以下である場合に互いに無線通信可能になり、前記発信装置が所定距離以下に位置している場合にその発信装置との間で無線通信可能になり、かつ無線通信可能になった前記発信装置が発信した前記識別情報を受信して記憶する、３つ以上の送受信装置と、
を備え、
前記送受信装置は、
記憶した各発信装置の識別情報を、自身の識別情報に紐付けて、自身の経路情報として、無線通信可能になった他の送受信装置に送信し、
無線通信可能になった各送受信装置から送信された各送受信装置の前記経路情報を、蓄積経路情報として記憶し、
無線通信可能になった他の送受信装置に対して、自身が記憶している前記蓄積経路情報を送信し、
無線通信可能になった他の送受信装置から送信された前記蓄積経路情報を記憶する、
ことを特徴とする。
【００１０】
また、上記目的を達成するため、本発明の一側面における情報伝搬方法は、
それぞれ所定の位置に設けられ、互いに異なる識別情報を有し、かつ自身の識別情報を発信する、複数の発信装置と、
それぞれ移動体に設けられ、互いに異なる識別情報を有し、互いの距離が所定距離以下である場合に互いに無線通信可能になり、かつ前記発信装置が所定距離以下に位置している場合にその発信装置との間で無線通信可能になる、３つ以上の送受信装置と、
を用いて、前記移動体の移動経路に関する情報を伝搬する方法であって、
（ａ）前記送受信装置において、無線通信可能になった前記発信装置が発信した前記識別情報を受信して記憶する、ステップと、
（ｂ）前記送受信装置において、前記（ａ）のステップで記憶した各発信装置の識別情報を、自身の識別情報に紐付けて、自身の経路情報として、無線通信可能になった他の送受信装置に送信する、ステップと、
（ｃ）前記送受信装置において、無線通信可能になった各送受信装置から送信された各送受信装置の前記経路情報を、蓄積経路情報として記憶する、ステップと、
（ｄ）前記送受信装置において、無線通信可能になった他の送受信装置に対して、前記（ｃ）のステップで記憶した前記蓄積経路情報を送信する、ステップと、
（ｅ）前記送受信装置において、無線通信可能になった他の送受信装置から送信された前記蓄積経路情報を記憶する、ステップと、
を備えることを特徴とする。
【発明の効果】
【００１１】
以上のように本発明によれば、ネットワークが構築されていない環境下においても移動体の移動経路を分析するための情報を効率よく取得できる。
【図面の簡単な説明】
【００１２】
【図１】図１は、本発明の実施の形態における情報伝搬システムの概略構成を示す図である。
【図２】図２は、情報伝搬システムの具体的構成を示す図である。
【図３】図３は、発信装置、送受信装置及び情報取得装置の構成を示すブロック図である。
【図４】図４は、経路情報の一例を示す図である。
【図５】図５は、蓄積経路情報の一例を示す図である。
【図６】図６は、本発明の実施の形態における情報伝搬システムの動作を示すフロー図である。
【図７】図７は、本実施形態に係る情報伝搬システムの変形例を示す図である。
【発明を実施するための形態】
【００１３】
（実施の形態）
以下、本発明の実施の形態における情報伝搬システム及び情報伝搬方法について、図１〜７を参照しながら説明する。
【００１４】
［システム構成］
最初に、図１を用いて、本発明の実施の形態における情報伝搬システムの概略構成について説明する。図１は、本発明の実施の形態における情報伝搬システムの概略構成を示す図である。
【００１５】
図１を参照して、本実施の形態における情報伝搬システム１００（以下、伝搬システム１００と略記する。）は、複数の発信装置１０及び複数の送受信装置１２を備えている。
【００１６】
なお、図１においては８個の発信装置１０が示されているが、伝搬システム１００が備える発信装置１０の数は、７個以下であってもよく、９個以上であってもよい。また、図１においては、３個の受信装置１２が示されているが、伝搬システム１００が備える送受信装置１２の数は、３個以上であればよい。また、伝搬システム１００が利用される環境は特に限定されず、街中において屋外で利用されてもよく、店舗等の屋内で利用されてもよく、山間部等の僻地で利用されてもよい。
【００１７】
複数の発信装置１０はそれぞれ、所定の位置に設けられる。複数の発信装置１０は、互いに異なる識別情報を有している。各発信装置１０は、自身の識別情報を発信する。本実施形態では、発信装置１０は、例えば、ＷｉＦｉ（登録商標）及びＢｌｕｅｔｏｏｔｈ（登録商標）等の公知の近距離無線通信の通信規格を利用して、無線通信を行なうことができる。
【００１８】
複数の送受信装置１２はそれぞれ、移動体５０に設けられる。なお、図１においては、移動体５０が人である場合を示しているが、本実施形態に係る伝搬システム１００は、種々の物体の移動経路に関する情報を伝搬するために利用することができる。したがって、移動体５０は、動物であってもよく、物（自動車、自転車、バイク、店舗で利用されるカート、又は空港等で扱われる荷物等）であってもよい。
【００１９】
複数の送受信装置１２は、互いに異なる識別情報を有している。複数の送受信装置１２は、互いの距離が所定距離以下である場合に互いに無線通信可能になる。また、各送受信装置１２は、自身から所定距離以下の位置に発信装置１０が存在する場合に、その発信装置１０との間で無線通信可能になる。
【００２０】
また、各送受信装置１２は、自身と無線通信可能な発信装置１０が発信した識別情報を受信して、受信した発信装置１０の識別情報を、自身の識別情報に紐付けて記憶する。そして、各送受信装置１２は、自身の識別情報に紐付けた各発信装置１０の識別情報を、自身の経路情報として、無線通信可能になった他の送受信装置１２に送信する。
【００２１】
また、各送受信装置１２は、無線通信可能になった各送受信装置１２から送信された上記経路情報を、蓄積経路情報として記憶する。すなわち、各送受信装置１２において、他の送受信装置１２それぞれの経路情報が蓄積経路情報として記憶される。
【００２２】
更に、各送受信装置１２は、無線通信可能になった他の送受信装置１２に対して、自身が記憶している上記蓄積経路情報を送信する。また、各送受信装置１２は、無線通信可能になった他の送受信装置１２から送信された上記蓄積経路情報を記憶する。
【００２３】
以上のように、本実施形態では、各送受信装置１２は、各発信装置１０が発信した識別情報を自身の識別情報に紐付けて、経路情報として記憶する。したがって、伝搬システム１００の利用者は、送受信装置１２に記憶された経路情報を確認することによって、その送受信装置１２の移動経路を分析することができる。具体的には、各送受信装置１２が記憶している発信装置１０の識別情報を確認することによって、各送受信装置１２が、どの発信装置１０の近くを通過したのかを把握することができる。
【００２４】
また、各送受信装置１２は、無線通信可能になった他の送受信装置１２から送信された上記経路情報を蓄積経路情報として記憶するとともに、無線通信可能になった他の送受信装置１２に対して、自身が記憶している上記蓄積経路情報を送信する。更に、各送受信装置１２は、無線通信可能になった他の送受信装置１２から送信された上記蓄積経路情報を記憶する。このように、本実施形態では、複数の送受信装置１２によって、各送受信装置１２に記憶されている蓄積経路情報（複数の送受信装置１２それぞれの経路情報）を伝搬するとともに、蓄積経路情報を共有することができる。これにより、伝搬システム１００の利用者は、いずれかの送受信装置１２に記憶されている蓄積情報を確認することによって、その送受信装置１２の移動経路だけでなく、他の送受信装置１２の移動経路を分析することができる。すなわち、伝搬システム１００の利用者は、複数の送受信装置１２それぞれから個別に情報を取得するのではなく、いずれか一つの送受信装置１２から情報を取得するだけで、複数の送受信装置１２の移動経路を分析することができる。
【００２５】
以上のように、本実施の形態では、伝搬システム１００の利用者は、ネットワークが構築されていない環境下においても、移動体５０（送受信装置１２）の移動経路を分析するための情報（経路情報および蓄積経路情報）を、任意の送受信装置１２から効率よく取得することができる。また、ネットワークを構築しなくてもよいので、移動体５０（送受信装置１２）の移動経路を分析するための情報を低コストで取得することができる。
【００２６】
続いて、本発明の実施の形態における情報伝搬システムについて更に具体的に説明する。
【００２７】
図２は、伝搬システム１００の具体的構成を示す図である。図２を参照して、本実施形態では、伝搬システム１００は、上述の複数の発信装置１０および複数の送受信装置１２に加えて更に、情報取得装置１４を備えている。
【００２８】
図３は、発信装置１０、送受信装置１２及び情報取得装置１４の構成を示すブロック図である。図３を参照して、発信装置１０は、自身の識別情報を発信する発信部１０ａを備えている。図２及び図３を参照して、複数の発信装置１０は、互いに異なる識別情報を有している。本実施形態では、例えば、発信装置１０ごとに、識別情報として予め識別番号（例えば、００１、００２、００３等の数字）が設定されている。なお、発信装置１０は、所定の電波強度で一定時間毎に識別情報を発信してもよい。例えば、発信装置１０が、アップル社が提供する、ＢＬＥ（Ｂｌｕｅｔｏｏｔｈ（登録商標）  Ｌｏｗ  Ｅｎｅｒｇｙ）を利用したｉＢｅａｃｏｎ（登録商標）を、発信部１０ａとして備えていても良い。
【００２９】
なお、複数の発信装置１０それぞれの設置位置は、例えば、伝搬システム１００の管理者６０が管理するマップデータ（２次元座標、３次元座標等のマップデータ）において予め登録されている。マップデータは、伝搬システム１００の管理者６０または利用者が移動体５０の移動経路を分析する際に利用される。
【００３０】
図２を参照して、複数の移動体５０にそれぞれ、送受信装置１２が設けられている。複数の送受信装置１２は、互いに異なる識別情報を有している。本実施形態では、例えば、送受信装置１２ごとに、識別情報として予め装置名（例えば、Ａ１、Ａ２、Ａ３等の符号）が設定されている。
【００３１】
図３を参照して、送受信装置１２は、受信部１２ａ、記憶部１２ｂ及び送信部１２ｃを備えている。上述したように、送受信装置１２は、自身から所定距離以下の位置に発信装置１０が存在する場合に、その発信装置１０との間で無線通信可能になる。送受信装置１２の受信部１２ａは、各発信装置１０が発信した識別情報を受信するごとに、受信した発信装置１０の識別情報を自身（送受信装置１２）の識別情報に紐付けて、経路情報として記憶部１２ｂに記憶させる。
【００３２】
図４は、経路情報の一例を示す図である。なお、図４は、識別情報として装置名Ａ１を有する送受信装置１２の記憶部１２ｂに記憶される経路情報を示す。図４に示すように、本実施形態では、受信部１２ａは、各発信装置１０が発信した識別情報を、その識別情報の受信時刻および自身（送受信装置１２）の識別情報と紐付けて、経路情報として記憶部１２ｂに記憶させる。
【００３３】
図３を参照して、上述したように、複数の送受信装置１２は、互いの距離が所定距離以下である場合に互いに無線通信可能になる。本実施形態では、送受信装置１２の送信部１２ｃは、無線通信可能な他の送受信装置１２に対して、記憶部１２ｂに記憶されている自身の経路情報を送信する。
【００３４】
また、本実施形態では、受信部１２ａは、無線通信可能になった他の送受信装置１２から送信された経路情報を受信して、記憶部１２ｂに記憶させる。本実施形態では、受信部１２ａは、図５に示すように、他の複数の送受信装置１２から経路情報を受信するごとに、受信した各送受信装置１２の経路情報を、蓄積経路情報として記憶部１２ｂに記憶させる。
【００３５】
また、図３を参照して、本実施形態では、送信部１２ｃは、無線通信可能になった他の送受信装置１２に対して、記憶部１２ｂに記憶されている蓄積経路情報を送信する。更に、本実施形態では、受信部１２ａは、他の送受信装置１２から送信された蓄積経路情報を受信し、記憶部１２ｂに記憶させる。本実施形態では、受信部１２ａは、他の送受信装置１２から送信された蓄積経路情報に基づいて、記憶部１２ｂに記憶されている蓄積経路情報を更新する。これにより、記憶部１２ｂには、各送受信装置１２の最新の経路情報が記憶される。
【００３６】
図２を参照して、情報取得装置１４は、伝搬システム１００の管理者６０によって保持されている。本実施形態では、送受信装置１２と情報収集装置１４との距離が所定距離以下である場合に、送受信装置１２と情報収集装置１４とが無線通信可能になる。
【００３７】
図３を参照して、情報取得装置１４は、受信部１４ａ及び記憶部１４ｂを備えている。送受信装置１２の送信部１２ｃは、無線通信可能になった情報取得装置１４に対して、記憶部１２ｂに記憶されている自身の経路情報を、記憶部１２ｂに記憶されている蓄積経路情報とともに送信する。情報取得装置１４の受信部１４ａは、送受信装置１２から送信されたその送受信装置１２の経路情報及び他の送受信装置１２の経路情報（すなわち、蓄積経路情報）を受信し、記憶部１４ｂに記憶させる。
【００３８】
なお、詳細な説明は省略するが、送受信装置１２の送信部１２ｃは、例えば、ＷｉＦｉ（登録商標）及びＢｌｕｅｔｏｏｔｈ（登録商標）等の公知の近距離無線通信の通信規格を利用して、記憶部１２ｂに記憶された情報を他の送受信装置１２及び情報取得装置１４へ送信することができる。情報取得装置１４としては、例えば、タブレット型端末およびスマートフォン等の携帯型の端末装置を用いることができる。
【００３９】
また、上述の例では、無線通信によって情報取得装置１４が送受信装置１２から情報を収集しているが、情報の取得方法は上述の例に限定されない。例えば、情報取得装置１４として、ＣＦ（Compact Flash（登録商標））及びＳＤ（Secure Digital）等の汎用的な記憶デバイスを用いる場合には、送受信装置１２において、情報取得装置１４に情報を書き込んでもよい。
【００４０】
本実施形態では、伝搬システム１００の管理者６０または利用者は、情報取得装置１４によって取得された上記の経路情報および蓄積経路情報に基づいて、複数の送受信装置１２（移動体５０）の移動経路を分析することができる。更に、本実施形態では、各送受信装置１２の経路情報において、各発信装置１０の識別情報とその識別情報が送受信装置１２に受信された受信時刻とが紐付けられている。これにより、伝搬システム１００の利用者は、各送受信装置１２（移動体５０）がどの時刻にどの場所を移動していたのかを容易に把握することができる。
【００４１】
なお、ＤＴＮ（遅延耐性ネットワーク）に関して、本発明者らは種々の研究を進めてきた。この研究において、本発明者らは、移動ノードは、その移動ノードが従属する属性（人、動物、乗り物等）ごとに、標準的移動特性（時間的、地域的、確率的に一定の経路で移動するという特性）を有していることに着目した。そして、本発明者らは、共通の属性に従属する複数の移動ノードによって情報を交換することによって、一定期間において各移動ノードに集積される情報が飽和することに着目した。上述の伝搬システムは、このような本発明者らの知見に基づいて完成したものであり、各移動ノード（上述の実施形態では移動体５０）に設けられた送受信装置１２に情報を集積することを特徴としている。
【００４２】
例えば、複数の移動体がそれぞれペットであり、各ペットが送受信装置１２を保持している場合には、いずれかのペットの所在が不明になった際に、そのペットと交流（接触）のある他のペットが保持する送受信装置１２の情報に基づいて、所在が不明になったペットを捜索することが可能になる。
【００４３】
［システム動作］
次に、本発明の実施の形態における情報伝搬システムの動作について、図６を用いて説明する。図６は、本発明の実施の形態における情報伝搬システムの動作を示すフロー図である。以下の説明においては、適宜図１〜図５を参酌する。また、本実施の形態では、伝搬システム１００を動作させることによって、情報伝搬方法が実施される。よって、本実施の形態における情報伝搬方法の説明は、以下の伝搬システム１００の動作説明に代える。
【００４４】
図６を参照して、伝搬システム１００においては、上述したように、送受信装置１２は、無線通信可能になった発信装置１０が発信した識別情報を受信して記憶する（ステップＡ１）。ステップＡ１の処理は、複数の送受信装置１２それぞれにおいて実行される。次に、上述したように、各送受信装置１２は、ステップＡ１で記憶した発信装置１０の識別情報を、自身の識別情報に紐付けて、自身の経路情報として、無線通信可能になった他の送受信装置に送信する（ステップＡ２）。
【００４５】
なお、本実施形態では、ステップＡ１において各送受信装置１２は、図４に示したように、発信装置１０が発信した識別情報を、その識別情報の受信時刻に紐付けて記憶する。また、本実施形態では、各送受信装置１２は、ステップＡ１において複数の発信装置１０から識別情報を受信した場合には、図４に示したように、受信した全ての発信装置１０の識別情報を自身の識別情報に紐付けて、自身の経路情報とする。
【００４６】
図６を参照して、各送受信装置１２は、無線通信可能になった他の送受信装置１２から送信された経路情報を、蓄積経路情報として記憶する（ステップＡ３）。なお、本実施形態では、各送受信装置１２は、他の複数の送受信装置１２からそれぞれ経路情報を受信した場合には、図５に示したように、受信した全ての送受信装置１２の経路情報を、蓄積経路情報として記憶する。
【００４７】
次に、各送受信装置１２は、無線通信可能になった他の送受信装置１２に対して、ステップＡ３で記憶した蓄積経路情報を送信する（ステップＡ４）。また、各送受信装置１２は、無線通信可能になった他の送受信装置１２から送信された蓄積経路情報を記憶する（ステップＡ５）。
【００４８】
上記のステップＡ１〜Ａ５の処理を繰り返すことによって、各送受信装置１２に集積される情報が飽和する。したがって、伝搬システム１００の利用者は、いずれかの送受信装置１２に集積された情報に基づいて、複数の送受信装置１２（移動体）の移動経路を分析することができる。
【００４９】
なお、本実施形態では、各送受信装置１２は、ステップＡ５の処理の後、更に蓄積経路情報を受信した場合、その時点で記憶している蓄積経路情報を更新してもよい。具体的には、ステップＡ５の処理の後に受信した蓄積経路情報に、ステップＡ３およびステップＡ５において記憶した蓄積経路情報には含まれていない情報が含まれている場合に、受信した蓄積経路情報に基づいて、その時点で記憶している蓄積経路情報を更新してもよい。
【００５０】
なお、詳細な説明は省略するが、複数の送受信装置１２が複数のグループにグループ分けされていてもよい。この場合、各送受信装置１２は、異なるグループに属する送受信装置１２が発信した経路情報及び蓄積経路情報を記憶しなくてもよい。
【００５１】
［変形例］
図７は、本実施形態に係る伝搬システムの変形例を示す図である。図７に示すように、変形例に係る伝搬システム１００ａでは、所定のエリア７０が予め設定されている。なお、図７では、移動体５０は、例えばペットである。以下、移動体５０を、ペット５０と記載する。
【００５２】
図示は省略するが、各送受信装置１２は、アラート通知部を備えている。アラート通知部は、送受信装置１２がエリア７０の外に配置された発信装置１０の識別情報を受信した場合に、ペット５０に対してアラートを通知する。具体的には、例えば、アラート通知部は、ペット５０が嫌がる音、又はペットの帰省本能を刺激する音等を、アラートとして出力する。これにより、ペット５０が、エリア７０から遠く離れた場所に行ってしまうことを抑制でき、ペット５０の所在が不明になることを抑制することができる。
【００５３】
なお、詳細な説明は省略するが、送受信装置１２が特定の他のペット５０が保有する送受信装置１２の識別情報を受信した場合に、アラート通知部がアラートを通知してもよい。また、例えば、送受信装置１２がエリア７０内の発信装置１０の識別情報を受信した場合に、アラート通知部がアラートを通知してもよい。
【産業上の利用可能性】
【００５４】
以上のように、本発明によれば、ネットワークが構築されていない環境下においても移動体の移動経路を分析するための情報を効率よく取得することができる。また、ネットワークを構築しなくてもよいので、移動体の移動経路を分析するための情報を低コストで取得することができる。
【符号の説明】
【００５５】
１０    発信装置
１２    送受信装置
１４    情報取得装置
５０    移動体
６０    管理者
１００，１００ａ    情報伝搬システム
【図１】
2019032247.tif 000003
【図２】
2019032247.tif 000004
【図３】
2019032247.tif 000005
【図４】
2019032247.tif 000006
【図５】
2019032247.tif 000007
【図６】
2019032247.tif 000008
【図７】
2019032247.tif 000009